(57)【要約】      （修正有）【課題】ワイヤを固定してハンダが脱落するのを回避すると同時に、生産コストを抑えたファン及びファンハウジングを提供する。【解決手段】ファンハウジングは、第一フレーム２１と第二フレーム２２とを結合してなり、第一フレーム２１は、固定部分２１１ｂ及びこれに接続されるクリップ部分２１１ａを備えると共に、固定部分２１１ｂは収納槽を形成し、第二フレーム２２は、第一フレーム２１と結合する結合部分２２１ａを備えると共に、クリップ部分２１１ａに結合するくぼみ口を有し、第一フレーム２１と第二フレーム２２が結合される時、固定部分２１１ｂと、クリップ部分２１１ａと、結合部分２２１ａとが、ワイヤ３をはさんで固定する空間を形成する。【選択図】図４
0003135529.tif 000002
【実用新案登録請求の範囲】
【請求項１】
第一フレームと第二フレームとを結合してなるファンハウジングであって、
前記第一フレームは、固定部分及び前記固定部分に接続されるクリップ部分を備えると共に、該固定部分は収納槽を形成し、
前記第二フレームは、前記第一フレームと結合する結合部分を備えると共に、該結合部分は前記クリップ部分に対応して該クリップ部分に結合するくぼみ口を有し、
前記第一フレームと前記第二フレームが結合される時、前記固定部分と、前記クリップ部分と、前記結合部分とが、ワイヤをはさんで固定する空間を形成することを特徴とする
ファンハウジング。
【請求項２】
前記クリップ部分は前記第二フレームに向かって伸びた突起部分であり、
前記クリップ部分はその前記第二フレームに向かって伸びた部分の末端付近が斜面構造であることを特徴とする
請求項１に記載のファンハウジング。
【請求項３】
前記クリップ部分と前記固定部分とは、一体成型で製作されることを特徴とする
請求項１又は２に記載のファンハウジング。
【請求項４】
前記固定部分と前記第一フレームとは、一体成型で製作されることを特徴とする
請求項１から３のいずれか一に記載のファンハウジング。
【請求項５】
前記結合部分と前記第二フレームとは、一体成型で製作されることを特徴とする
請求項１から４のいずれか一に記載のファンハウジング。
【請求項６】
前記固定部分は前記第一フレームの外壁から突き出て、前記収納槽を形成し、
前記第二フレームはさらに止まり部分を備え、該止まり部分は前記第二フレームから前記収納槽の方向に向かって伸びていることを特徴とする
請求項１から５のいずれか一に記載のファンハウジング。
【請求項７】
前記止まり部分と前記第二フレームとは、一体成型で製作されることを特徴とする
請求項６に記載のファンハウジング。
【請求項８】
少なくとも１個のはめ込み部分及び少なくとも１個の突起部分を備え、
前記はめ込み部分及び前記突起部分は前記第一フレームと前記第二フレームとに必要に応じてそれぞれ設置されて互いにかみ合うことを特徴とする
請求項１から７のいずれか一に記載のファンハウジング。
【請求項９】
フレームに設置されるワイヤクリップ構造であって、
前記フレームの一ヶ所に設置され、クリップ部分及び前記クリップ部分に結合する固定部を有する第一クリップ構造と、
前記フレームの他所に設置され、前記第一クリップ構造に対応し、結合部分を有する第二クリップ構造とを備え、
前記第一クリップ構造の前記クリップ部分は前記結合部分に向かって伸びた突起部分であり、前記結合部分は前記クリップ部分を収納するくぼみ口を有することを特徴とする
ワイヤクリップ構造。
【考案の詳細な説明】
【技術分野】
【０００１】
本考案は、ファンハウジングに関し、特にワイヤを固定できるファンハウジング及びそのワイヤクリップ構造に関する。
【背景技術】
【０００２】
ファンを利用した放熱装置によく見られる方法で説明する。  
従来のファン１は、羽根車１１、ファンハウジング１２及び羽根車１１を駆動させるモーター（図示しない）を備える。  
この羽根車１１は複数の羽根１１１を有し、モーターに接続される。  
さらに、全てがファンハウジング１２の中に収納される。  
モーターはワイヤ１３によってファンハウジング１２を経由して外部に電気的に接続される。
【考案の開示】
【考案が解決しようとする課題】
【０００３】
ファン１のワイヤ１３が運転時に緩んで、脱落するのを回避するために、従来の技術では、ファンハウジング１２の固定部分１２１によって、このワイヤ１３をこの固定部分１２１とファンハウジング１２の間に固定する。  
しかしながら、この固定部分１２１の形状はただフック状の構造をしているに過ぎないため、ワイヤ１３は固定部分１２１とファンハウジング１２の間で移動したり、緩んだりする。  
ファン１が組み立てられる時、外的な力でワイヤ１３が引っ張られて、ワイヤ１３が固定部分１２１によってしっかりクリップされて固定されないために、ワイヤ１３と回路板の接続箇所のハンダが脱落する可能性が生じる。  
場合によっては、ファン１が組み立てられて１つのシステムとなった後、このシステムの震動もワイヤ１３と回路板の接続箇所のハンダを脱落させる原因となり、ファン１の信頼度及び使用寿命が低くなる。  
上述の問題が発生するのを回避するために、よく用いられる方法は、固定部分１２１でワイヤ１３に接着処理を施すことであるが、この方法は手間がかかる上、位置が正しくないと製品の不合格率が高くなり、生産コストが上がるという問題が発生する。
【０００４】
したがって、本考案は、ワイヤを固定してハンダが脱落するのを回避すると同時に、生産コストを抑えたファン及びファンハウジングを提供することを課題とする。
【課題を解決するための手段】
【０００５】
上記課題を解決するために、本考案はワイヤを固定してハンダが脱落するのを回避すると同時に、生産コストを抑えたファンハウジング及びそのワイヤクリップ構造を提供することを目的とする。
【０００６】
上述の目的を達成するために、本考案のファンハウジングは、第一フレーム及び第二フレームを備える。  
この第一フレームは第一クリップ構造を有し、第一フレームの外壁に設置される。  
さらに、第一クリップ構造はクリップ部分及びこのクリップ部分に連結する固定部分を含む。  
このうち、クリップ部分は第二フレームに向かって伸びた突起部分であり、固定部分は第一フレームの外壁から突き出た収納槽を形成する。  
第二フレームの外壁は第二クリップ構造を有し、この第二クリップ構造は第一クリップ構造に対応する。  
第二クリップ構造は結合部分及び止まり部分を含む。  
結合部分はクリップ部分の一部を収納するくぼみ口を有し、止まり部分は第二フレームの外壁から固定部分に向かって伸びている。  
第一フレームと第二フレームがファンハウジングを構成する時、ワイヤはクリップ部分、固定部分と止まり部分の位置に形成された、はさんで固定する空間内にしっかりと固定される。
【０００７】
さらに、本考案のファンハウジングは、固定部分が、クリップ部分と結合部分が結合されることにより、第一クリップ構造全体に止まり部分の方向に向かって固定される圧力が生じて、ワイヤが第一クリップ構造とファンハウジングの間にしっかりと固定される。  
従来の技術に比べ、本考案ではワイヤが第一クリップ構造、第二クリップ構造とファンハウジングの間にしっかりと固定されることで、ワイヤが緩んでハンダが脱落するのを回避する。  
第一クリップ構造、第二クリップ構造は、その対応するファンハウジングと一体成型で製作されるため、生産コストが増加することはなく、ファンハウジングがワイヤをしっかりと固定することが可能である。
【考案の効果】
【０００８】
本考案のファンハウジングは、固定部分が、クリップ部分と結合部分が結合されることにより、第一クリップ構造全体が止まり部分の方向に向かって固定される圧力が生じて、ワイヤが第一クリップ構造とファンハウジングの間にしっかりと固定される。  
従来の技術に比べ、本考案ではワイヤが第一クリップ構造、第二クリップ構造とファンハウジングの間にしっかりと固定されることで、ワイヤが緩んでハンダが脱落するのを回避する。  
第一クリップ構造、第二クリップ構造は、その対応するファンハウジングと一体成型で製作されるため、生産コストが増加することはなく、ファンハウジングがワイヤをしっかりと固定するという効果がある。
【考案を実施するための最良の形態】
【０００９】
以下に、図を参照しながら本考案の好適な実施例のファンハウジングについて説明する。
【００１０】
図２及び図３を参照しながら説明する。  
本考案の好適な実施例のファンハウジング２は、第一フレーム２１及び第一フレーム２１に結合される第二フレーム２２を備える。  
この第一フレーム２１の外壁は第一クリップ構造２１１を有する。  
この第一クリップ構造２１１はクリップ部分２１１ａ及びクリップ部分２１１ａに接続される固定部分２１１ｂを有する。  
このうち、クリップ部分２１１ａは、第二フレーム２２に向かって伸びる突起部分である。  
そして、固定部分２１１ｂは第一フレーム２１の外壁から突き出た収納槽２１１ｃを形成する。  
クリップ部分２１１ａは第二フレーム２２に向かって突き出た部分の末端付近が斜面構造２１１ｄを形成する。  
クリップ部分２１１ａと固定部分２１１ｂの連結方式は特に制限はなく、実施の際には一体成型で製作されることも可能である。  
第一クリップ構造２１１も実施の際、第一フレーム２１と一体成型で製作されることも可能である。
【００１１】
第二フレーム２２の外壁は第二クリップ構造２２１を有し、第一クリップ構造２１１に対応する。  
さらに、この第二クリップ構造２２１は、結合部分２２１ａ及び止まり部分２２１ｂを含む。  
この結合部分２２１ａはクリップ部分２１１ａの一部分を収納するくぼみ口２２１ｃを有し、止まり部分２２１ｂは、第二フレーム２２の外壁から固定部分２２１ｂに向かって伸びている。  
第二クリップ構造２２１は実施の際、第二フレーム２２と一体成型で製作される。
【００１２】
ファンハウジング２はさらに、少なくとも１個のはめ込み部分２３及び少なくとも１個の突起部分２４を備える。  
本実施例においては、このはめ込み部分２３は第二フレーム２２の外壁に設置される。  
突起部分２４は、はめ込み部分２３に対応し、第一フレーム２１の外壁に設置される。  
その逆もまた可能である。
【００１３】
さらに、同時に図４から図６を参照しながら説明する。  
第一フレーム２１と第二フレーム２２が組み合わされた時、はめ込み部分２３は突起部分２４と互いにかみ合わさって結合される。  
この時、第一クリップ構造２１１のクリップ部分２１１ａと第二クリップ構造の結合部分２２１ａも互いに結合される。  
また、第一フレーム２１と第二フレーム２２が組み合わされる際、クリップ部分２１１ａは斜面構造２１１ｄがフレキシブルに変形することにより、結合部分２２１ａのくぼみ口２２１ｃの中にスムーズに導入される。  
止まり部分２２１ｂは同時に、固定部分２１１ｂの収納槽２１１ｃの中に形成された、はさんで固定する空間内にしっかりと固定される。
【００１４】
したがって、ファン（外部と電気的に接続されるワイヤ３を有する）がファンハウジング２を使用する時、固定部分２１１ｂが、クリップ部分２１１ａと結合部分の結合されることで、第一クリップ構造２１１全体に止まり部分２２１ｂの方向に向かって固定される圧力が生じて、ワイヤ３が第一クリップ構造２１１とファンハウジング２の間にしっかりと固定される。  
また、本実施例において、第一クリップ構造２１１と第二クリップ構造２２１の結合方式に特に制限はなく、実施の際には引っ掛けて止める方式でも、受けて止める方式でも可能である。
【００１５】
このように、従来の技術に比べ、本考案ではワイヤが第一クリップ構造とファンハウジングの間にしっかりと固定されて、ワイヤが緩んでハンダが脱落するのを回避する。  
したがって、本考案のファンハウジングは、第一クリップ構造、第二クリップ構造は、その対応するファンハウジングと一体成型で製作されるため、生産コストが増加することはなく、ファンハウジングがワイヤをしっかりと固定することを特徴とする。
【００１６】
以上、本考案の実施例を図面を参照して詳述してきたが、具体的な構成は、これらの実施例に限られるものではなく、本考案の要旨を逸脱しない範囲の設計変更などがあっても、本考案に含まれる。
【図面の簡単な説明】
【００１７】
【図１】従来のファンを示した図である。
【図２】本考案の好適な実施例のファンハウジングの分解図である。
【図３】図２のファンハウジングの第一クリップ構造及び第二クリップ構造の断面図である。
【図４】本考案の好適な実施例のファンフレームを組み合わせた状態を示した図である。
【図５】図４の部分拡大図である。
【図６】図５の断面図である。
【符号の説明】
【００１８】
１        ファン
１１      羽根車
１１１    羽根
１２、２  ファンハウジング
１２１    固定部分
１３、３  ワイヤ
２１      第一フレーム
２１１    第一クリップ構造
２１１ａ  クリップ部分
２１１ｂ  固定部分
２１１ｃ  収納槽
２１１ｄ  斜面構造
２２    第二フレーム
２２１  第二クリップ構造
２２１ａ  結合部分
２２１ｂ  止まり部分
２２１ｃ  くぼみ口
２３      はめ込み部分
２４      突起部分
【図１】
0003135529.tif 000003
【図２】
0003135529.tif 000004
【図３】
0003135529.tif 000005
【図４】
0003135529.tif 000006
【図５】
0003135529.tif 000007
【図６】
0003135529.tif 000008